(57)【要約】【課題】  外側パネルの閉止を阻止する位置で開閉蓋を係止させる加湿装置を提供する。【解決手段】  内側パネル６６の開口６９に設置された開閉可能な開閉蓋７０が開放状態の時、外側パネル４０の閉止を阻止する位置となるよう挿入部７１が固定金具７６によって係止されることで、開閉蓋７０を開放した状態で外側パネル４０を閉止しようとしても、案内突起８４が固定部７３の終端に当接して外側パネル４０の閉止が阻止されるため、開閉蓋７０を開放したまま加湿運転が実施されることがなく、開口６９からの空気漏れによる加湿効率の悪化を未然に防ぐことが可能となる。【選択図】  図１２
2018165581.tif 000002
【特許請求の範囲】
【請求項１】
器具本体と、当該器具本体の前面側を覆うように設置された内側パネルと、前記器具本体の前面を構成し閉止時は前記内側パネルと対向する位置にあり開放時は下端を支点にして前記器具本体の前面方向へ回動して開く外側パネルと、前記器具本体内に設置され水を貯める貯水室と、当該貯水室に設置され貯めれた水から加湿空気を発生させる加湿空気発生手段と、当該加湿空気発生手段で発生した加湿空気を送風口から室内へ送風する送風ファンと、当該送風ファンを覆うように設置され前記器具本体外から吸い込まれた空気を前記器具本体内へ案内する送風ボックスと、当該送風ボックスから案内された空気が流通し前記貯水室内へ空気を流入させる送風通路と、当該送風通路の途中にあり前記内側パネルに形成された開口と、当該開口を閉止するよう前記内側パネルに設置され前記開口の開放時は一端を支点にして前記器具本体の前面方向へ回動して開く開閉蓋と、を備え、
前記開閉蓋を開放した状態で前記外側パネルを閉止した時、前記開閉蓋が前記外側パネルと当接し前記外側パネルの閉止が阻止される位置に開放状態の前記開閉蓋を係止する蓋係止手段を設けたことを特徴とする加湿装置の蓋係止機構。
【請求項２】
前記開閉蓋の一端を構成する挿入部の位置が下側となるよう前記内側パネルに形成された切り欠きに前記挿入部が挿入され、前記開閉蓋を開放する時、前記挿入部が支点となって前記開閉蓋が前記器具本体の前面方向へ回動して開き、前記外側パネルの閉止が阻止される位置で前記挿入部と前記蓋係止手段とが当接して前記開閉蓋を開放状態で係止することを特徴とする請求項１記載の加湿装置の蓋係止機構。
【請求項３】
前記外側パネルの開閉状態を検知するパネル検知センサと、当該パネル検知センサにより前記外側パネルが閉止していると判断したときのみ前記加湿空気発生手段と前記送風手段とを駆動させ室内を加湿する加湿運転の実施を許可する制御部とを備えたことを特徴とする請求項１または２記載の加湿装置の蓋係止機構。
【発明の詳細な説明】
【技術分野】
【０００１】
この発明は、器具本体に回動可能な蓋を備えた加湿装置の蓋係止機構に関するものである。
【背景技術】
【０００２】
従来、この種のものでは、器具本体内に水を貯める貯水室と、当該貯水室に設置され加湿空気を発生させる加湿空気発生手段と、当該加湿空気発生手段で発生した加湿空気を送風口から室内へ送風する送風ファンと、貯水室へ供給する水を貯める給水タンクと、給水タンクと貯水室とを接続する給水管と、当該給水管の途中に給水ポンプとを備えた加湿装置において、操作部の運転スイッチが操作されたら、加湿空気発生手段と送風ファンとを駆動させて室内へ加湿空気を送風する加湿運転を実施し、水位センサにより貯水室内の水量が不足したと判断したら、給水ポンプを駆動させて給水タンク内の水を貯水室へ供給し、貯水室内の水量が不足するのを防止しつつ加湿運転を実施するものがあった。（例えば、特許文献１）
【先行技術文献】
【特許文献】
【０００３】
【特許文献１】特開２０１７−３２２２６号公報
【発明の概要】
【発明が解決しようとする課題】
【０００４】
しかし、この従来のものでは、器具本体の外側パネルを取り外し、内側パネルに設置された開閉蓋を開放して内側パネルに形成された開口内の作業を可能としていたが、作業終了後に開閉蓋を閉め忘れたまま外側パネルを閉止し加湿運転を開始すると、送風ファンにより送風される空気が開口から漏れ出し、送風口から室内へ送風される加湿空気量が減少して加湿能力が落ちることから、改善の余地があった。
【課題を解決するための手段】
【０００５】
上記課題を解決するために、本発明の請求項１では、器具本体と、当該器具本体の前面側を覆うように設置された内側パネルと、前記器具本体の前面を構成し閉止時は前記内側パネルと対向する位置にあり開放時は下端を支点にして前記器具本体の前面方向へ回動して開く外側パネルと、前記器具本体内に設置され水を貯める貯水室と、当該貯水室に設置され貯めれた水から加湿空気を発生させる加湿空気発生手段と、当該加湿空気発生手段で発生した加湿空気を送風口から室内へ送風する送風ファンと、当該送風ファンを覆うように設置され前記器具本体外から吸い込まれた空気を前記器具本体内へ案内する送風ボックスと、当該送風ボックスから案内された空気が流通し前記貯水室内へ空気を流入させる送風通路と、当該送風通路の途中にあり前記内側パネルに形成された開口と、当該開口を閉止するよう前記内側パネルに設置され前記開口の開放時は一端を支点にして前記器具本体の前面方向へ回動して開く開閉蓋と、を備え、
前記開閉蓋を開放した状態で前記外側パネルを閉止した時、前記開閉蓋が前記外側パネルと当接し前記外側パネルの閉止が阻止される位置に開放状態の前記開閉蓋を係止する蓋係止手段を設けたことを特徴とする。
【０００６】
また、請求項２では、前記開閉蓋の一端を構成する挿入部の位置が下側となるよう前記内側パネルに形成された切り欠きに前記挿入部が挿入され、前記開閉蓋を開放する時、前記挿入部が支点となって前記開閉蓋が前記器具本体の前面方向へ回動して開き、前記外側パネルの閉止が阻止される位置で前記挿入部と前記蓋係止手段とが当接して前記開閉蓋を開放状態で係止することを特徴とする。
【０００７】
また、請求項３では、前記外側パネルの開閉状態を検知するパネル検知センサと、当該パネル検知センサにより前記外側パネルが閉止していると判断したときのみ前記加湿空気発生手段と前記送風手段とを駆動させ室内を加湿する加湿運転の実施を許可する制御部とを備えたことを特徴とする。
【発明の効果】
【０００８】
この発明によれば、開閉蓋を開放した状態で外側パネルを閉止した時、開閉蓋が外側パネルと当接し外側パネルの閉止が阻止される位置に開放状態の開閉蓋を係止する蓋係止手段を設けたので、開口内の作業が終了して外側パネルを閉止する時、開閉蓋を閉止しなければ外側パネルを閉止することができず、開閉蓋を閉め忘れたまま外側パネルが閉止されることが防止されるため、加湿運転の実施時に開口から空気が器具本体外へ漏れ出し、加湿能力が減少することを確実に防止することができる。
【０００９】
また、開閉蓋の一端を構成する挿入部の位置が下側となるよう内側パネルに形成された切り欠きに挿入部が挿入され、開閉蓋を開放する時、挿入部が支点となって開閉蓋が器具本体の前面方向へ回動し、挿入部が外側パネルの閉止が阻止される位置で蓋係止手段と当接し、開閉蓋を開放状態で係止するので、開閉蓋を開放した時、挿入部によって確実に外側パネルの閉止が阻止される位置で開閉蓋が係止されるため、加湿運転の実施時に開口から空気が器具本体外へ漏れ出し、加湿能力が減少することを確実に防止することができる。
【００１０】
また、外側パネルの開閉状態を検知するパネル検知センサと、当該パネル検知センサにより外側パネルが閉止していると判断したときのみ加湿空気発生手段と送風手段とを駆動させ室内を加湿する加湿運転の実施を許可するので、開閉蓋が閉止されない状態で加湿運転が実施されることを確実に防止することができるため、加湿運転の実施時に開口から空気が器具本体外へ漏れ出し、加湿能力が減少することを確実に防止することができる。
【図面の簡単な説明】
【００１１】
【図１】この発明の一実施形態の外観を説明する斜視図
【図２】同実施形態の概略構成図
【図３】同実施形態の制御ブロック図
【図４】同実施形態の操作部を説明する図
【図５】同実施形態の運転制御を説明するフローチャート
【図６】同実施形態の器具本体内の空気の流れを説明する図
【図７】同実施形態の内側パネル周囲の構造で開閉蓋が閉止している時を説明する図
【図８】同実施形態の内側パネル周囲の構造で開閉蓋が開放している時を説明する図
【図９】同実施形態の開閉蓋が開放している時を示す部分拡大平面図
【図１０】同実施形態の開閉蓋が開放している時を示す部分拡大正面図
【図１１】同実施形態の開閉蓋が開放している時を示す部分拡大断面図
【図１２】同実施形態の開閉蓋が開放している時に外側パネルを閉止した様子を示す部分拡大断面図
【発明を実施するための形態】
【００１２】
次に、この発明の一実施形態における加湿装置を図に基づいて説明する。
１は略箱状で各種パネルに四方が覆われた器具本体、２は当該器具本体１上部に形成されルーバー３が設置された送風口、４は複数のスイッチが備えられ各種操作指令を行う操作部、５は前記器具本体１の前面略中央部に複数形成され前記器具本体１内に空気を取り込むよろい戸構造の吸い込み穴、６は前記器具本体１下部に設置され取っ手を引くことで内部に設置された排水タンク７の取り出しを可能とする排水タンク収納扉、８は当該排水タンク収納扉６の横にあり内部に設置された給水タンク９の給水口を収納する給水口扉、１０は当該給水口扉８の下部に形成され前記給水タンク９内に残存する水量を目視可能な水位窓、１１は前記器具本体１底部に設置され前記器具本体１の移動を可能とするタイヤ部である。
【００１３】
１２は器具本体１内に設置され所定量の水を貯水する貯水室であり、この貯水室１２内には水に下端を水没させ駆動軸に軸支された筒状の回転体１３が備えられている。
【００１４】
前記回転体１３は、中空逆円錐形で上方に向かって径が徐々に拡大するものであり、駆動軸に接続され回転体１３を回転駆動させるミストモータ１４を駆動させ、回転体１３が回転することによる回転の遠心力で貯水室１２内の水を汲み上げ、回転体１３の外壁および内壁を伝わせて水を押し上げて、回転体１３の外壁を伝わせて押し上げた水を周囲に飛散させると共に、回転体１３の内壁を伝わせて押し上げた水を回転体１３の上端に形成された複数の図示しない飛散口から周囲に飛散させる。
【００１５】
１５は回転体１３の上部外周に所定間隔を離間させて位置し、回転体１３と共に回転する円筒状の多孔体で、当該多孔体１５には、その全周壁に多数のスリットや金網やパンチングメタル等から成る多孔部１６が設置されており、前記回転体１３、前記ミストモータ１４、前記多孔部１６で加湿空気発生手段が構成されている。
【００１６】
また、前記回転体１３の回転による遠心力で貯水室１２内の水を汲み上げると共に空気を飛散させ、多孔部１６を通過した水滴が破砕されることで、水の粒子を微細化してナノメートル（ｎｍ）サイズのミストが生成すると共に、水の粒子の微細化によるレナード効果でマイナスイオンを多量に発生させるものである。
【００１７】
１７は所定の回転数で駆動することで空気を送風する送風ファンであり、当該送風ファン１７が駆動すると、器具本体１の外から吸い込み穴５を介して送風ボックス８０内へ流入した空気が送風排出口８１から排出され、送風通路７９を流通して風洞８２の空気流入口８３を介して貯水室１２内へ流入し、貯水室１２と気水分離ケース１８とを通過して送風口２から送風することで、貯水室１２内で発生したナノミストとマイナスイオンとを含んだ加湿空気を室内へ供給する。
【００１８】
１９は貯水室１２内に設置され貯水を加熱する加熱ヒータであり、貯水室１２の外壁に設置され貯水温度を検知する貯水温度センサ２０で検知される温度が所定温度となるよう、ＯＮ／ＯＦＦ状態を適宜切り替える。
【００１９】
２１は貯水室１２内に設置されフロートの上下により水位を検知する水位センサであり、貯水室１２内の水位が低下して所定水位以下になったらＯＦＦ信号を出力し、水位が上昇して所定水位以上になったらＯＮ信号を出力し、更に水位が上昇して貯水室１２内が満水となったら満水信号を出力する。
【００２０】
２２は一端が貯水室１２に接続し他端が給水タンク９の底部に所定のクリアランスを設けて設置された給水管であり、当該給水管２２の配管途中には、給水タンク９内の水を貯水室１２内まで流動させる自吸式の給水ポンプ２３と、給水管２２内を流動する水の流量を検知する流量センサ２４とが設置されている。
【００２１】
２５は前記給水管２２の途中に接続された呼び水管であり、当該呼び水管２５の端部には呼び水口２６が形成され、当該呼び水口２６を封止するキャップ２７を取り外し、じょうろ等を用いて呼び水管２５内へ注水することで給水ポンプ２３内へ所定量の水を給水する呼び水動作が可能となり、給水タンク９から呼び水して給水管２２内を水が流通可能な状態にする。
【００２２】
２８は一端が貯水室１２の底部に接続し他端が排水タンク７の排水流入口２５上部に設置された排水管であり、当該排水管２８の配管途中には、電磁弁を開閉して貯水室１２内の水の排水を制御する排水弁２９が備えれている。
【００２３】
３０は送風口２の壁面に設置され室内へ向けて送風される加湿空気の温度を検知する送風温度センサ、３１は送風ファン１７の近傍に設置され吸い込み穴５から吸い込まれた室内空気の温度を検知する吸気温度センサ、３２は前記吸気温度センサ３１の近傍に設置され器具本体１が設置された室内の湿度を検知する湿度センサであり、各センサで検知された温度や湿度に基づいてミストモータ１４や送風ファン１７の回転数を変化させ、加熱ヒータ１９のＯＮ／ＯＦＦ状態を切り替える。
【００２４】
３３は気水分離ケース１８内に複数枚設置されたバッフル板であり、貯水室１２内で発生したナノミストとマイナスイオンとを含む加湿空気中の大径水滴を補水し、送風口２まで到達させないようにすることで、送風口２付近の結露発生を防止し器具本体１の設置面が濡れることを未然に防止する。
【００２５】
３４は一端が貯水室１２の壁面に接続され他端が給水タンク９の給水流入口３２上部に設置されたオーバーフロー管であり、万一水位センサ２１が故障して満水検知ができなかった時、給水ポンプ２３が駆動し続けて貯水室１２内への給水が停止せずとも、オーバーフロー管３４を通じて給水タンク９内へ水を戻すことができるため、貯水室１２から水が溢れ出すことを確実に防止することができる。
【００２６】
３５は排水タンク７内に設置され排水タンク７内の水位の上昇と共に浮きが上昇する排水フロート、３６は当該排水フロート３５の上端に設置された磁石、３７は当該磁石３６と対向する位置に設置され磁力の有無でＯＮ／ＯＦＦ状態を判定する近接センサであり、排水タンク７内の水が増えることで排水フロート３５が上昇することに伴い、磁石３６の設置箇所が徐々に低下して近接センサ３７から徐々に離れて近接センサ３７で検知可能な磁力が弱まり、排水タンク７が満水近くになると近接センサ３７が磁力を検知できなくなってＯＦＦ信号を出力し、排水弁２９を閉止することで排水タンク７から水が漏れ出す事態を確実に防止する。
【００２７】
３８はルーバー３の図示しない支軸と接続してルーバー３を所定角度まで回動させるルーバーモータであり、加湿運転の開始時や停止時にルーバー３を所定の角度まで回動させる。
【００２８】
３９は器具本体１の前面上部を覆うように設置された前面パネルであり、操作部４のメンテナンスが必要になった場合等に取り外し作業することが可能である。
【００２９】
４０は器具本体１の前面中間部を覆うように設置され吸い込み穴５が形成された外側パネルであり、呼び水口２６から呼び水を給水する時は、作業者が外側パネル４０を器具本体１前面方向へ引くことで下端側が支点となり、外側パネル４０が器具本体１の前面方向へ回動し、外側パネル４０の上端側面に設置されたチェーン４１により内側パネル６６に設置された開閉蓋７０を内側パネル６６と水平な位置関係で開放可能となる位置で係止される。
そして、呼び水口２６から呼び水を供給した後に外側パネル４０を閉止すると、外側パネル４０の上端側面に形成された係止ツメ４２が器具本体１の前面側方に形成されたツメ受け部４３内に嵌り込むことで、外側パネル４０が前面パネル３９と平行な位置関係で係止される。
【００３０】
４４は一方の前記ツメ受け部４３の下方にありマイクロスイッチで構成されたパネル検知センサであり、外側パネル４０を開放した状態ではＯＦＦ信号を出力し、外側パネル４０の係止ツメ４２がツメ受け部４３内に嵌り込み完全に閉止された状態になると、外側パネル４０の存在を検知しＯＮ信号を出力する。
【００３１】
前記操作部４には、運転開始及び停止を指示する運転スイッチ４５と、ミストモータ１４の回転数を所定値だけ低下させて運転音の低下を図る静音運転を実行するひかえめスイッチ４６と、加湿空気を室内に供給する加湿運転の開始あるいは停止のタイマー運転の実施有無を設定するタイマー入／切スイッチ４７と、現在時刻の設定を行う時計合せスイッチ４８と、加湿空気を室内に供給する加湿運転の開始時刻や停止時刻を設定するタイマー合せスイッチ４９と、室内へ供給する加湿空気量を３段階の加湿レベルから選択する加湿スイッチ５０と、室内へ供給する加湿空気の風量を３段階の風量レベルから選択する風量スイッチ５１と、前記加湿スイッチ５０や前記風量スイッチ５１で設定された加湿レベルや風量レベルを表示するレベル表示部５２と、当該レベル表示部５２での表示項目を加湿、風量レベルから湿度、現在時刻等に変化させる表示切り替えスイッチ５３と、スイッチを３秒押しすると排水弁２９を開放して貯水室１２内の水を強制的に排水する排水スイッチ５４と、運転停止以外の操作を禁止するチャイルドロックスイッチ５５とが備えられている。
【００３２】
また、前記操作部４には各スイッチに対応したランプが備えられており、前記運転スイッチ４５が操作されたら点灯する運転ランプ５６と、前記タイマー入／切スイッチ４７が操作されタイマー入り制御かタイマー切り制御かのいずれかで設定されたモードのランプを点灯させるタイマーランプ５７と、前記レベル表示部５２で表示する検知湿度や現在時刻の午前、午後の項目に応じて該当する所定のランプが点灯する表示項目ランプ５８と、前記排水スイッチ５４が操作され排水弁２９が開放されたら点灯する排水ランプ５９と、前記チャイルドロックスイッチ５５が操作されチャイルドロックが設定された時に点灯するチャイルドロックランプ６０とが備えられている。
【００３３】
６１は各センサで検知された検知値や操作部４上に備えられた各スイッチでの設定内容に基づき運転内容や弁の開閉を制御するマイコンで構成された制御部であり、当該制御部６１には、ミストモータ１４を所定の回転数で駆動させるミストモータ制御手段６２と、送風ファン１７を所定の回転数で駆動させる送風ファン制御手段６３と、加熱ヒータ１９のＯＮ／ＯＦＦ状態を変化させて貯水室１２内の水温を制御する加熱ヒータ制御手段６４と、特定の動作開始時から経過した時間をカウントする計時手段６５とが備えられている。
【００３４】
６６は外側パネル４０と対向する位置に設置された内側パネルであり、当該内側パネル６６には、器具本体１内へ流入する空気中の塵埃を捕集して清浄化する空清フィルタ６７を設置可能な吸い込み口６８と、呼び水口２６と対向する位置に形成され、じょうろ等で呼び水口２６から水を供給可能となるよう切り欠かれた開口６９とが形成されている。
【００３５】
７０は前記開口６９を閉止するように設置される開閉蓋であり、当該開閉蓋７０は、正面視略Ｔ字形状の挿入部７１が下側となるように前記内側パネル６６に形成された正面視略Ｔ字形状の切り欠き７２に挿入されており、作業者が挿入部７１とは逆の端面である固定部７３に形成された固定ネジ７４を内側パネル６６に形成されたネジ穴７５に螺着することで開口６９を閉止し、固定ネジ７４をネジ穴７５から取り外すと、挿入部７１が支点となって器具本体１の前面方向へ回動し開口６９を開放する。
【００３６】
７６は器具本体１内方側の内側パネル６６に設置され呼び水口２６が開口６９と対向する位置となるよう呼び水管２５を固定する蓋係止手段としての固定金具であり、当該固定金具７６には、呼び水管２５のフランジ部７７が引っ掛かることで呼び水口２６が開口６９と対向する位置で固定可能となる金具穴７８が形成されている。
【００３７】
７９は器具本体１内に形成され送風ファン１７で送風された空気が流通する送風通路、８０は送風ファン１７を覆うように設置され吸い込み口６８から吸い込まれた空気を送風排出口８１へ案内する送風ボックス、８２は貯水室１２の上部に設置され前記送風通路７９内を流通する空気を空気流入口８３を介して貯水室１２内へ流入させる風洞であり、前記送風通路７９は、送風排出口８１から空気流入口８３までの内側パネル６６等の器具本体１内部を形成する区画壁により構成されており、送風ファン１７が駆動すると内側パネル６６等の区画壁近傍を空気が通過し、風洞８２の空気流入口８３へ空気が流入する。
【００３８】
８４は外側パネル４０の吸い込み穴５の下端から上端方向へ所定の曲率で曲げが形成された案内突起であり、吸い込み穴５から流入した空気を吸い込み口６８を介して器具本体１内へ案内する。
【００３９】
次に、一実施形態での運転開始から終了までの動作について図５のフローチャートに基づいて説明する。 
まず、操作部４の運転スイッチ４５が操作されたか、もしくはタイマー入／切スイッチ４７で設定された運転開始時刻になったら、制御部６１は、排水弁２９を開放して貯水室１２内の水を排水し、水位センサ２１でＯＦＦ信号が出力されたと判断したら、給水ポンプ２３の駆動を開始し給水管２２内にある水を排水して、所定時間経過したら排水弁２９を閉止する水入替モードを行う（ステップＳ１０１）。
【００４０】
前記ステップＳ１０１の水入替モードが終了したら、制御部６１は、給水タンク９内の水を給水管２２を介して貯水室１２内へ供給し、水位センサ２１でＯＮ信号が出力されたと判断したら、所定量の水が貯水室１２内に供給されたとして給水ポンプ２３の駆動を停止した後、送風ファン１７を所定時間だけ駆動させ回転体１３に付着した大粒の水滴を落とす立ち上げモードを行う（ステップＳ１０２）。 
【００４１】
前記ステップＳ１０２の立ち上げモードが終了したら、制御部６１は、ルーバーモータ３８を駆動させてルーバー３を器具本体１の上面に対して垂直となる位置で停止させ、加湿スイッチ５０及び風量スイッチ５１で設定された加湿レベルと風量レベルに基づいて、ミストモータ１４と送風ファン１７とが所定の回転数で駆動するようミストモータ制御手段６２と送風ファン制御手段６３とでそれぞれの回転数を制御し、貯水温度センサ２０の検知値に基づいて加熱ヒータ１９のＯＮ／ＯＦＦ状態を加熱ヒータ制御手段６４で切り替えて制御することで、貯水室１２内の貯水温度を加湿レベルと風量レベルとに合わせた所定の温度範囲内にする加湿運転を実行する通常運転モードを行う（ステップＳ１０３）
【００４２】
ここで通常運転モードを詳述すると、ミストモータ制御手段６２によりミストモータ１４を８００〜１４００ｒｐｍの範囲内で回転数を変化させ、また、送風ファン制御手段６３で送風ファン１７を４００〜８００ｒｐｍの範囲内で回転数を変化させることで、風量レベルに合った回転数にした加湿運転を行い、更に、送風温度センサ３０で検知される温度が加湿レベルに合った値となるよう貯水室１２内の貯水温度を変化させ、貯水温度センサ２０で検知される温度が約３０〜４０℃の範囲内で推移するように加熱ヒータ１９のＯＮ／ＯＦＦ状態を加熱ヒータ制御手段６４で切り替えて制御する。
【００４３】
また、加湿運転時の空気の流れについて図６に基づいて詳述すると、送風ファン１７が駆動することで器具本体１外の空気が空清フィルタ６７を介して吸い込み口６８から送風ボックス８０内に流入し、送風排出口８１から押し出された空気が送風通路７９を流通する途上で開閉蓋７０の近傍を通過することから、仮に加湿運転時に開閉蓋７０が開放されていると、送風通路７９内を流通する空気が開口６９から漏れ出すため、空気流入口８３へ流入する空気量が減って結果的に送風口２から送風される加湿空気量が減少することとなる。よって、加湿運転時に開閉蓋７０を確実に閉止する必要がある。
【００４４】
前記ステップＳ１０３の通常運転モードを開始した後に通常運転モードの途中で運転スイッチ４５がＯＦＦ操作されたか、あるいはタイマー入／切スイッチ４７で設定された加湿運転の停止時刻になったら、制御部６１は、ルーバーモータ３８を駆動させてルーバー３を器具本体１の上面に対して約２０°だけ開放した状態で静止させ、加熱ヒータ１９をＯＮ状態にして水を加熱し、貯水温度センサ２０での検知値が６３℃から６５℃の間で推移するよう加熱ヒータ１９のＯＮ／ＯＦＦ状態を切り替えて貯水室１２内にある水の除菌を行う除菌運転を１０分間実行し、１０分経過後に貯水室１２内を冷却する冷却運転を実行した後に排水弁２９を開放して貯水室１２内の水を排水するクリーニングモードを行う（ステップＳ１０４）。 
【００４５】
前記ステップＳ１０４のクリーニングモードが終了したら、制御部６１は、ミストモータ制御手段６２及び送風ファン制御手段６３によりミストモータ１４と送風ファン１７とを所定の回転数で所定時間だけ駆動させ、貯水室１２内を乾燥させる乾燥モードを実施し（ステップＳ１０５）、所定時間経過したらミストモータ１４と送風ファン１７とを停止させて乾燥モードが終了し、ルーバーモータ３８を駆動させてルーバー３を閉止することで運転終了となる。
【００４６】
次に、本実施形態における呼び水供給時の動作手順について詳述する。
器具本体１の初期使用開始時や長期の使用停止期間を経た後に運転を実施する時、まず作業者は、外側パネル４０の上端側を持ち器具本体１の前面方向へ引くことで、ツメ受け部４３から係止ツメ４２が外れ下端側を支点にして外側パネル４０を回動させ、図７で示すように、外側パネル４０の両側面端部に設置されたチェーン４１によって支持され内側パネル６６が露出した状態にする。
【００４７】
外側パネル４０を開放した後、作業者が開閉蓋７０の固定ネジ７４を取り外すと、開閉蓋７０は、挿入部７１を支点に器具本体１の前面方向へ回動し、図８で示すように、開閉蓋７０の挿入部７１が内側パネル６６と後述する所定角度を成す位置で固定金具７６により係止され開口６９が開放状態になり、呼び水管２５の呼び水口２６に装着されたキャップ２７が露出した状態となる。この状態にすることで、作業者はキャップ２７を取り外しじょうろ等で呼び水口２６から水を供給する呼び水動作の実施が可能となる。
【００４８】
ここで、図９及び図１０で示すように、開閉蓋７０を構成する挿入部７１は先端が幅広のＴ字形状に形成され、Ｔ字形状の幅広な部分の幅をＷ１、幅狭な部分の幅をＷ２とし、また、内側パネル６６に形成された切り欠き７２は上側が幅広のＴ字形状に形成され、Ｔ字形状の幅広な部分の幅をＳ１、幅狭な部分の幅をＳ２とすると、各幅の大きさがＳ１＞Ｗ１＞Ｓ２＞Ｗ２の関係となるよう形成されていることで、開閉蓋７０の挿入部７１を切り欠き７２に挿入する時は、Ｓ１の幅で形成された部分の切り欠き７２へＷ１の幅で形成された部分の挿入部７１を挿入し、Ｓ２の幅で形成された部分の切り欠き７２へ挿入部７１を移動させることで、切り欠き７２から開閉蓋７０が抜け出さないように開閉蓋７０を切り欠き７２に引っ掛けることができる。
【００４９】
そして、開閉蓋７０を切り欠き７２に引っ掛けた後に、Ｓ１の幅で形成された部分の切り欠き７２の下端より下方に固定金具７６の下端が位置するよう固定金具７６を設置することで、図１１で示すように、開閉蓋７０を開放した時に挿入部７１のＷ１の幅の部分が切り欠き７２のＳ２の幅の部分の上端より下方に位置することで、開閉蓋７０が器具本体１の前面方向へ抜けることがなく呼び水動作を実施することができるため、呼び水動作の実施後に開閉蓋７０を内側パネル６６に設置し忘れることがなく、加湿運転時における開口６９からの空気漏れを確実に防止することができる。
【００５０】
また、切り欠き７２の下端と固定金具７６の下端とに挿入部７１が当接し、開閉蓋７０が開放状態の時に外側パネル４０の閉止を阻止する所定角度を内側パネル６６と形成した状態で開閉蓋７０が係止される。
【００５１】
作業者が呼び水動作を完了した後、開閉蓋７０の閉止を忘れて外側パネル４０を閉止すると、図１２で示すように、開閉蓋７０が閉止状態の時に外側パネル４０と対向する側面を表面、器具本体１の内方と対向する側面を裏面とし、開閉蓋７０が開放状態で外側パネル４０を閉止しようとして開放蓋７０の固定部７３の先端面と外側パネル４０とが当接した時、外側パネル４０と開放蓋７０の表面とで成す角度が鈍角、外側パネル４０と開放蓋７０の裏面とで成す角度が鋭角であれば、開閉蓋７０が開放状態の時に外側パネル４０を閉止しようとしても、開閉蓋７０の挿入部７１が固定金具７６によって開閉蓋７０を更に開放する方向へは回動しないよう固定されているため、開閉蓋７０が閉止されておらず開放状態のままであることを作業者が気づき、作業者によって開閉蓋７０が確実に閉止されることで、加湿運転時に開口６９からの空気漏れを確実に防止することができる。
【００５２】
このように、前記所定角度は、開閉蓋７０が開放状態で外側パネル４０を閉止しようとして開放蓋７０と当接し、外側パネル４０と開放蓋７０の表面とで成す角度が鈍角、外側パネル４０と開放蓋７０の裏面とで成す角度が鋭角の状態の時、内側パネル６６と開閉蓋７０とで形成する角度としているので、開閉蓋７０を開放した状態では外側パネル４０を閉止することができず、作業者が確実に開閉蓋７０を閉止することで加湿運転時に開口６９からの空気漏れを確実に防止することができる。
【００５３】
よって、開閉蓋７０が開放されたまま加湿運転が実施されることがないことから、開閉蓋７０が開放されたまま加湿運転が実施され、送風ファン１７により送風される空気が開口６９から漏れてしまい、送風口２から送風される風量が減少して加湿効率が低下する事態を未然に防ぐことができ、器具本体１が設置された室内を効率良く加湿することが可能となる。
【００５４】
以上のように、内側パネル６６の開口６９に設置された開閉可能な開閉蓋７０が開放状態の時、外側パネル４０の閉止を阻止する位置となるよう挿入部７１が固定金具７６によって係止されることで、開閉蓋７０を開放した状態で外側パネル４０を閉止しようとしても、案内突起８４が固定部７３の終端に当接して外側パネル４０の閉止が阻止されるため、開閉蓋７０を開放したまま加湿運転が実施されることがなく、開口６９からの空気漏れによる加湿効率の悪化を未然に防ぐことが可能となる。
【００５５】
また、外側パネル４０を閉止することなく運転スイッチ４５が操作され運転開始が指示されたとしても、パネル検知センサ４４がＯＦＦ信号を出力した状態なので加湿運転が実施されないことから、加湿効率が悪化した加湿運転を未然に防止することができる。
【００５６】
また、固定金具７６には、呼び水管２５端部のフランジ部７７を載置する金具穴７８が形成され、呼び水管２５の位置を固定することが可能となっているため、呼び水動作の実施時に開口６９と対向する位置に呼び水口２６を確実に存在させることが可能であり、作業者の作業性が向上する。
【００５７】
なお、本実施形態では開閉蓋７０を構成する挿入部７１と、内側パネル６６に形成された切り欠き７２とを略Ｔ字形状にし、外側パネル４０の閉止を阻止する位置で挿入部７１の先端が固定金具７６に当接することで開閉蓋７０が開放状態で係止する内容で説明したが、開閉蓋７０の開放時に切り欠き７２から開閉蓋７０が落下しなければよく、例えば、外側パネル４０の閉止を阻止する位置で開閉蓋７０が開放した時、挿入部７１の先端を折り曲げる等して切り欠き７２の周囲の内側パネル６６の壁面と挿入部７１とが当接する形状にして開閉蓋７０を係止し、切り欠き７２から開閉蓋７０を落下させない構成であってもよい。
【００５８】
また、本実施形態における構成や制御内容は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。 
【符号の説明】
【００５９】
１    器具本体
１２    貯水室
１３    回転体（加湿空気発生手段）
１４    ミストモータ（加湿空気発生手段）
１６    多孔部（加湿空気発生手段）
１７    送風ファン
４０    外側パネル
４４    パネル検知センサ
６１    制御部
６６    内側パネル
６９    開口
７０    開閉蓋
７１    挿入部
７２    切り欠き
７６    固定金具（蓋係止手段）
７９    送風通路
８０    送風ボックス
【図１】
2018165581.tif 000003
【図２】
2018165581.tif 000004
【図３】
2018165581.tif 000005
【図４】
2018165581.tif 000006
【図５】
2018165581.tif 000007
【図６】
2018165581.tif 000008
【図７】
2018165581.tif 000009
【図８】
2018165581.tif 000010
【図９】
2018165581.tif 000011
【図１０】
2018165581.tif 000012
【図１１】
2018165581.tif 000013
【図１２】
2018165581.tif 000014